(57)【要約】  照明装置又はアセンブリのためのコンフィギュラブルコントローラは、ユーザインタフェースにおいて受けたユーザ入力に応じて照明装置の出力特性を制御又は変更するよう構成される。コンフィギュラブルコントローラは、該出力特性についての選択可能な又は現在利用可能な値の範囲を格納することにより、ユーザインタフェースにおけるユーザ入力が該出力特性を調整できる量を制限する。この選択可能な値の範囲は、リモートデバイスから通信ユニットにおいて受けたコンフィギュレーション入力に基づいて調整可能である。
2018527701.tif 000002
【特許請求の範囲】
【請求項１】
１つ以上の発光素子を持つ照明装置のためのコンフィギュラブルコントローラであって、該コンフィギュラブルコントローラは、
前記照明装置を制御するためのユーザ入力を受けるよう構成される、タッチセンシティブ領域を有する、ユーザインタフェース装置、
リモートデバイスを介してユーザから、前記ユーザインタフェース装置の所望のコンフィギュレーションを示すコンフィギュレーション入力を受けるよう構成される、通信ユニット、及び
処理ユニット、
を有し、前記処理ユニットは、受けた前記コンフィギュレーション入力に基づいて、及び前記タッチセンシティブ領域の少なくとも１つの特性に基づいて前記照明装置の出力特性の選択可能な値の範囲を前記タッチセンシティブ領域にマッピングするよう構成され、前記処理ユニットは、マッピングされた前記選択可能な値の範囲に従って受けた前記ユーザ入力に基づいて前記照明装置を制御するよう構成される、コンフィギュラブルコントローラ。
【請求項２】
前記照明装置の前記出力特性は、
少なくとも１つの発光素子により出力される光の強さ、
少なくとも１つの発光素子により出力される光の色、
少なくとも１つの発光素子により出力される光の色温度、
少なくとも１つの発光素子により出力される光の彩度、
少なくとも１つの発光素子により発せられる光の角度、
光を発する発光素子の数、
少なくとも１つの発光素子により発せられる光ビームの幅、
少なくとも１つの発光素子により発せられる光の配光、
少なくとも１つの発光素子により発せられる光の形状、及び
前記照明装置の任意の他の出力特性との間の変化の速度、
のうちの少なくとも１つを含む、請求項１に記載のコンフィギュラブルコントローラ。
【請求項３】
前記ユーザインタフェース装置は、１つ以上の視覚出力デバイスを有し、前記１つ以上の視覚出力デバイスは、前記照明装置の前記出力特性についての前記選択可能な値の範囲の視覚的表現を表示するよう構成される、請求項１又は２に記載のコンフィギュラブルコントローラ。
【請求項４】
前記ユーザインタフェース装置は、受けたタッチに基づいて前記ユーザ入力を生成するよう構成される複数のタッチセンシティブ領域を有する、請求項１、２又は３に記載のコンフィギュラブルコントローラ。
【請求項５】
前記処理ユニットは、前記照明装置の前記出力特性についての全てのあり得る値に関する情報を有する第１の出力データを生成するよう構成され、
前記通信ユニットは、前記第１の出力データを前記リモートデバイスに送るよう構成される、請求項１乃至４の何れか一項に記載のコンフィギュラブルコントローラ。
【請求項６】
前記処理ユニットは、前記タッチセンシティブ領域の特性に関する情報を有する第２の出力データを生成するよう構成され、
前記通信ユニットは、前記第２の出力データを前記リモートデバイスに送るよう構成され、
前記タッチセンシティブ領域の特性は、前記タッチセンシティブ領域の大きさ、形状及び解像度のうちの少なくとも１つを含む、請求項１乃至５の何れか一項に記載のコンフィギュラブルコントローラ。
【請求項７】
１つ以上の発光素子を持つ照明装置のためのコンフィギュラブルコントローラをコンフィグレーションするためのリモートデバイスであって、該リモートデバイスは、
コンフィグレーション入力を生成するよう構成されるリモートデバイス処理ユニット、及び
前記コンフィギュレーション入力を前記コンフィギュラブルコントローラに渡すよう構成されるリモートデバイス通信ユニット、
を有し、
前記コンフィギュレーション入力は、前記照明装置の出力特性についての選択可能な値の範囲に関する情報に対応する、リモートデバイス。
【請求項８】
当該リモートデバイスは、前記コンフィギュラブルコントローラから第１の出力データを受けるよう構成され、前記第１の出力データは、前記照明装置の前記出力特性についての全てのあり得る値に関する情報に対応し、
前記リモートデバイス処理ユニットは、受けた前記第１の出力データに基づいて前記コンフィギュレーション入力を生成するよう構成される、請求項７に記載のリモートデバイス。
【請求項９】
当該リモートデバイスは、前記コンフィギュラブルコントローラから第２の出力データを受けるよう構成され、前記第２の出力データは、前記コンフィギュラブルコントローラのユーザインタフェース装置の特性に関する情報に対応し、
前記リモートデバイス処理ユニットは、受けた前記第２の出力データに基づいて前記コンフィギュレーション入力を生成するよう構成される、請求項７に記載のリモートデバイス。
【請求項１０】
当該リモートデバイスは、ユーザ選択入力を受けるよう構成されるリモートデバイスユーザインタフェース装置を有し、前記リモートデバイス処理ユニットは、受けた前記ユーザ選択入力に基づいて前記コンフィギュレーション入力を生成するよう構成される、請求項７、８又は９に記載のリモートデバイス。
【請求項１１】
前記リモートデバイスユーザインタフェース装置は、
受けたタッチに基づいて前記ユーザ選択入力を生成し、
前記照明装置の出力特性についての選択可能な複数の、選択可能な値の範囲を表示するよう構成されるタッチセンシティブディスプレイを有し、
前記選択可能な複数の範囲から範囲が選択されると、前記リモートデバイス処理ユニットは、前記照明装置の出力特性についての選択された前記選択可能な値の範囲に関する前記コンフィギュレーション入力を生成する、請求項１０に記載のリモートデバイス。
【請求項１２】
１つ以上の発光素子を持つ照明装置、
請求項１乃至６の何れか一項に記載のコンフィギュラブルコントローラ、及び
請求項７乃至１１の何れか一項に記載のリモートデバイス、
を有する照明システム。
【請求項１３】
１つ以上の発光素子を持つ照明装置を制御する方法であって、
通信ユニットにより、リモートデバイスを介してユーザから、タッチセンシティブ領域を有するユーザインタフェース装置の所望のコンフィギュレーションを示すコンフィギュレーション入力を受けるステップ、
処理ユニットにより、受けた前記コンフィギュレーション入力に基づいて、及び前記タッチセンシティブ領域の少なくとも１つの特性に基づいて前記照明装置の出力特性についての選択可能な値の範囲を前記タッチセンシティブ領域にマッピングするステップ、
前記処理ユニットにより、前記ユーザインタフェース装置から前記照明装置を制御するためのユーザ入力を受けるステップ、及び
前記処理ユニットにより、マッピングされた前記選択可能な値の範囲に従って受けた前記ユーザ入力に基づいて前記照明装置を制御するステップ、
を含む方法。
【請求項１４】
前記ユーザインタフェース装置に具備される１つ以上のディスプレイにおいて、前記照明装置の出力特性についての前記選択可能な値の範囲の視覚的表現を表示するステップを含む、請求項１３に記載の方法。
【請求項１５】
前記処理ユニットにより、出力信号を生成するステップ、及び
前記通信ユニットにより、前記出力信号を前記リモートデバイスに渡すステップ、
を含み、
前記出力信号は、前記照明装置の出力特性についての全てのあり得る値及び前記ユーザインタフェース装置の特性のうちの少なくとも１つに関する情報を含み、前記ユーザインタフェース装置の特性は、前記タッチセンシティブ領域の大きさ、形状及び解像度のうちの少なくとも１つを含む、請求項１３又は１４に記載の方法。
【発明の詳細な説明】
【技術分野】
【０００１】
本発明は、照明装置の分野に関し、特に、照明装置のためのコントローラに関する。 
【背景技術】
【０００２】
少なくとも1つの発光素子を有する照明装置は、従来技術においてよく知られている。典型的な照明装置は、光の強さ(intensity)、光の色、アクティブな発光素子の数等の調節可能な出力特性を持ってもよい。
【発明の概要】
【発明が解決しようとする課題】
【０００３】
典型的には、斯かる出力特性の調整を行うために、照明装置のためのコントローラが設けられてもよい。ユーザは、コントローラと対話して、特定の出力特性の所望の値を選択してもよい。斯かるコントローラは、このユーザインタラクションを可能にするユーザインタフェースを備えることがよく知られている。
【０００４】
例示的なユーザインタフェースは、タッチセンシティブ又はメカニカル入力デバイスを有することが知られている。斯かる既知のコントローラの簡単な一例は、照明装置の強さを直接制御するための回転ノブを持つ調光スイッチである。少なくとも1つの他の既知の実施形態において、ユーザは、照明装置の色及び/又は強さを制御するように、タッチセンシティブディスプレイと対話してもよい。  
【課題を解決するための手段】
【０００５】
本発明は、特許請求の範囲によって規定される。
【０００６】
本発明の第1の態様によれば、１つ以上の発光素子を持つ照明装置(lighting arrangement)のためのコンフィギュラブルコントローラであって、リモートデバイスユーザからコンフィギュレーション入力を受けるよう構成される通信ユニット、前記照明装置を制御するためのユーザ入力を受けるよう構成されるタッチセンシティブ領域を有するユーザインタフェース装置(user interface arrangement)及び 処理ユニット を有するコンフィギュラブルコントローラが提供される。 前記処理ユニットは、受けた前記コンフィギュレーション入力に基づいて、及び前記タッチセンシティブ領域の少なくとも１つの特性に基づいて前記照明装置の出力特性の選択可能な値の範囲(range of selectable values)を前記タッチセンシティブ領域にマッピングするよう構成される。前記処理ユニットはさらに、マッピングされた前記選択可能な値の範囲に応じて受けた前記ユーザ入力に基づいて前記照明装置を制御するよう構成される。
【０００７】
処理ユニットは、一例として、照明装置の出力特性についての選択可能な値の範囲を格納することができ、選択可能な値の範囲は、照明装置の出力特性についての全てのあり得る値(all possible values)のうちのサブセットである。この場合、処理ユニットは、リモートデバイスからのコンフィギュレーション入力に基づいて、及びさらにタッチセンシティブ領域の少なくとも1つの特性に基づいて、選択可能な値の範囲を修正するであろう。さらに、処理ユニットは、ユーザ入力及び修正された選択可能な値の範囲に基づいて、照明装置の出力特性を修正する（すなわち、照明装置を制御する）であろう。これにより、ユーザ入力（すなわち、タッチセンシティブ領域を用いたタッチ入力）の解釈は、格納された選択可能な値の範囲（すなわち、マッピングされた値）に基づく。
【０００８】
コンフィギュレーション入力は、ユーザインタフェース装置の所望のコンフィギュレーションを示す。一例として、コンフィギュレーション入力は、照明装置の出力特性の選択可能な値の範囲を含む。
【０００９】
言い換えると、照明装置は、コンフィギュラブルコントローラの処理ユニットによって制御されてもよい。処理ユニットは、照明装置の出力特性が選択可能な値の範囲内でのみ変化することを可能にするよう構成される。（選択可能な値の範囲内の）出力特性の制御及び/又は変更は、ユーザインタフェース装置におけるユーザ入力に応じて実行される。出力特性についての選択可能な値の範囲は、コンフィギュラブルコントローラの通信ユニットにおいて受けたコンフィギュレーション入力に応じて構成又は変更されてもよい。このようにして、コントローラはリコンフィギュラブルであり、ゆえに、ユーザインタフェース装置に供された所与の入力は、コントローラのコンフィギュレーションに依存して、異なる入力コマンドにマッピングされる。特に、ユーザインタフェースを使用してユーザが選択できる値の範囲は、固定ではなく、コンフィギュレーションに依存する。
【００１０】
有利なことに、ユーザが（ユーザインタフェース装置を介して）制御するための選択可能な値の限定された範囲又はサブセットのみを提供することは、ユーザのための制御メカニズムを簡単にする。さらに、このようにしてユーザが選択可能な値のサブセットを各々提供する、複数の斯かる照明装置は、例えば、ユーザ選択の自由(degree of user choice)を維持しながら、一貫したムード/周囲照明(mood/ambient lighting)が広いエリア（例えば、レストラン又は家）にわたり提供されることを確実にするであろう。
【００１１】
選択可能な値の限定された範囲のみを提供することは、例えば、出力特性についてのより正確な値が提供されるように、出力特性に対する改善された制御を可能にする。例えば、ユーザインタフェース配置が離散的な数の値しか提供できない場合、同じ数の値が、より小さい範囲にわたり広がることを可能にする。
【００１２】
タッチセンシティブ領域の特性の例は、領域の大きさ（例えば、幅及び/又は長さ）、領域の二次元形状（例えば円形、四角形）、領域の三次元形状（例えば、直方体(oblong)）、領域の解像度（すなわち、個々に検出可能なタッチ入力の密度又はレイアウト）、又はこれらの任意の組み合わせである。
【００１３】
照明装置の出力特性は、典型的には、少なくとも１つの発光素子により出力される光の強さ、少なくとも１つの発光素子により出力される光の色、少なくとも１つの発光素子により出力される光の色温度、少なくとも１つの発光素子により出力される光の彩度(color saturation)、少なくとも１つの発光素子により発せられる光の角度、少なくとも１つの発光素子により発せられる光ビームの幅、少なくとも１つの発光素子により発せられる光の配光、少なくとも１つの発光素子により発せられる光の形状、光を発する発光素子の数及び照明装置の任意の他の出力特性との間の変化の速度のうちの１つからなる。
【００１４】
ある実施形態では、少なくとも1つの発光素子による光出力の強さを値のサブセット又は値の選択可能な範囲内に限定することによって、低減されたエネルギー消費を保証することができる（例えば、より少ないエネルギが、より高い輝度の光を出力するために用いられる）。
【００１５】
色を選択可能な色範囲内にのみ限定する（例えば、緑の色合い(shade)のみを可能にする）ことによって、例えば、制御される照明装置によって提供される光の雰囲気又は外見を改善するように、美的に好ましい色の組み合わせだけをユーザに提供することを可能にする。
【００１６】
任意に、ユーザインタフェース装置は、１つ以上の視覚出力デバイス(visual output device)を有し、１つ以上の視覚出力デバイスは、照明装置の出力特性についての選択可能な値の範囲の視覚的表現を表示するよう構成される。 
【００１７】
有利なことに、視覚出力デバイスは、出力特性についての潜在的に利用可能な値をユーザに視覚化することを可能にする。例えば、視覚表示デバイスは、（例えば、青の色合いを変えるように）照明装置が現在制御されることが可能な光の色を呈してもよい。
【００１８】
他の又はさらなる実施形態において、ユーザインタフェース装置は、受けたタッチに基づいてユーザ入力を生成するよう構成される少なくとも1つのタッチセンシティブ領域を有する。ある実施形態では、ユーザインタフェース装置は、代替的に又は追加的に、機械的入力デバイス、例えば回転ノブ、スライディングスイッチ又はプッシュスイッチを有する。
【００１９】
有利には、ユーザインタフェース装置は、ユーザが、（出力特性についての利用可能な値の範囲からの）出力特性についての潜在的な値の視覚的表現を見ることができ、照明装置の出力特性の変化をもたらす適切なユーザ入力を生成するように当該潜在的な値を選択できるような、タッチセンシティブディスプレイである。
【００２０】
有利には、斯かる実施形態は、コンフィギュラブルコントローラのユーザインタフェース装置を簡単にし、斯くして、システムの全体的な複雑さを、ユーザにより直感的なものとなるように低減する。
【００２１】
少なくとも1つの実施形態において、処理ユニットは、照明装置の出力特性についての全てのあり得る値に関する情報を有する第１の出力データを生成するよう構成され、通信ユニットは、第１の出力データをリモートデバイスに送るよう構成される。
【００２２】
任意に、処理ユニットは、ユーザインタフェース装置の特性に関する情報を有する第２の出力データを生成するよう構成され、通信ユニットは、第２の出力データをリモートデバイスに送信するよう構成される。
【００２３】
このようにして、出力データは、コンフィギュラブルコントローラ（特に、コンフィギュラブルコントローラのユーザインタフェース）及び/又は照明装置に関する情報をリモートデバイスに提供するように処理ユニットによって生成されてもよい。
【００２４】
このようにしてリモートコントローラに提供するための出力データを生成することによって、例えば、リモートデバイスは、コントローラの設計又は特定のタイプの照明装置に最も合致するコントローラのコンフィギュレーションを提供することができる。言い換えると、リモートデバイス用の出力データを提供することにより、リモートデバイスは、コントローラ及び/又はそれに関連する照明装置のための、より特注の又はパーソナライズされたコンフィギュレーション入力を提供することができる。
【００２５】
上述したコンフィギュラブルコントローラ、及び１つ以上の発光素子を持つ、該コンフィギュラブルコントローラに接続される照明装置を有する照明システムが提供されてもよい。
【００２６】
本発明の第２の態様によれば、１つ以上の発光素子を持つ照明装置のためのコンフィギュラブルコントローラをコンフィグレーションするためのリモートデバイスであって、コンフィグレーション入力を生成するよう構成される処理ユニット、及びコンフィギュレーション入力をコンフィギュラブルコントローラに渡すよう構成される通信ユニットを有し、コンフィギュレーション入力は、照明装置の出力特性についての選択可能な値の範囲に関する情報に対応する、リモートデバイスが提供される。
【００２７】
通信ユニットは、コンフィギュラブルコントローラから第１の出力データを受けるよう構成され、第１の出力データは、照明装置の出力特性についての全てのあり得る値に関する情報に対応し、処理ユニットは、受けた出力信号に基づいてコンフィギュレーション入力を生成するよう構成されてもよい。
【００２８】
任意に、リモートデバイスの通信ユニットはさらに、コンフィギュラブルコントローラから第２の出力データを受けるよう構成され、第２の出力データは、コンフィギュラブルコントローラのユーザインタフェース装置の特性に関する情報に対応し、リモートデバイスの処理ユニットは、第２の出力データに基づいてコンフィギュレーション入力を生成するよう構成される。
【００２９】
少なくとも１つの実施形態において、リモートデバイスはさらに、ユーザ選択入力を受けるよう構成されるユーザインタフェース装置を有し、処理ユニットは、受けたユーザ選択入力に基づいてコンフィギュレーション入力を生成するよう構成される。
【００３０】
リモートデバイスのユーザインタフェース装置は、受けたタッチに基づいてユーザ選択入力を生成し、照明装置の出力特性についての選択可能な複数の、選択可能な値の範囲を表示するよう構成されるタッチセンシティブディスプレイを有し、選択可能な複数の範囲から範囲が選択されると、処理ユニットは、照明装置の出力特性についての選択された選択可能な値の範囲に関するコンフィギュレーション入力を生成してもよい。
【００３１】
本発明の第３の態様によれば、１つ以上の発光素子を持つ照明装置を制御する方法であって、照明装置の出力特性についての全てのあり得る値のうちのサブセットである、照明装置の出力特性についての選択可能な値の範囲を格納するステップ、リモートデバイスからコンフィギュレーション入力を受けるステップ、コンフィギュレーション入力に基づいて選択可能な値の範囲を修正するステップ、ユーザインタフェース装置から照明装置を制御するためのユーザ入力を受けるステップ、及びユーザ入力及び選択可能な値の範囲に基づいて照明装置の出力特性を修正するステップを有し、これにより、格納された選択された値の範囲に基づいてユーザ入力を解釈する方法が提供される。
【００３２】
方法はさらに、１つ以上のディスプレイにおいて、照明装置の出力特性についての選択可能な値の範囲の視覚的表現を表示するステップを有してもよい。 
【００３３】
任意に、方法は、出力信号を生成するステップ及び出力信号をリモートデバイスに渡すステップを含み、出力信号は、照明装置の出力特性についての全てのあり得る値及びユーザインタフェース装置の特性のうちの少なくとも１つに関する情報を含む。
【００３４】
本発明のこれらの及び他の態様は、以下に記載する実施形態を参照して明らかになるであろう。
【図面の簡単な説明】
【００３５】
以下、本発明の例を添付の図面を参照して詳細に述べる。
【図１】本発明の第１の実施形態によるコンフィギュラブルコントローラ及びリモートデバイスを有する照明システムを図示する。
【図２】照明装置の第１の出力特性についての選択可能な値の範囲を変更するプロセスの概念的表現を図示する。
【図３】照明装置の第２の出力特性についての選択可能な値の範囲を変更するプロセスの概念的表現を図示する。
【図４】本発明の第１の実施形態によるコンフィギュラブルコントローラを図示する。
【図５】本発明の第２の実施形態によるコンフィギュラブルコントローラを図示する。
【図６Ａ】本発明の一実施形態によるコンフィギュラブルコントローラのユーザインタフェース装置を図示する。
【図６Ｂ】本発明の一実施形態によるコンフィギュラブルコントローラのユーザインタフェース装置を図示する。
【図６Ｃ】本発明の一実施形態によるコンフィギュラブルコントローラのユーザインタフェース装置を図示する。
【図６Ｄ】本発明の一実施形態によるコンフィギュラブルコントローラのユーザインタフェース装置を図示する。
【図７】本発明の第１の実施形態によるリモートデバイスを図示する。
【図８】本発明の第２の実施形態によるリモートデバイスを図示する。
【発明を実施するための形態】
【００３６】
本発明は、照明装置又はアセンブリのためのコンフィギュラブルコントローラを提供する。コンフィギュラブルコントローラは、ユーザインタフェースにおいて受けたユーザ入力に応じて照明装置の出力特性を制御又は変更するよう構成される。コンフィギュラブルコントローラは、該出力特性についての選択可能な又は現在利用可能な値の範囲を格納することにより、ユーザインタフェースにおけるユーザ入力が該出力特性を調整できる量を制限する。この選択可能な値の範囲は、リモートデバイスから通信ユニットにおいて受けたコンフィギュレーション入力に基づいて調整可能である。
【００３７】
コンフィギュラブルコントローラ100及びリモートデバイス200の概念的構造は、図1を参照して容易に説明されることができる。図1において、本発明の第1の実施形態によるコンフィギュラブルコントローラ100が示されている。コンフィギュラブルコントローラは、ユーザインタフェース装置130及び通信ユニット120に接続される処理ユニット110を有する。
【００３８】
コンフィギュラブルコントローラ100は、照明装置の少なくとも1つの発光素子を制御するために、照明装置300に接続可能に構成されている。例えば、照明装置300は、第1の発光素子310、第2の発光素子320、及び第3の発光素子330を有してもよい。各発光素子は、例えば、処理ユニットによって個々に又は集合的に制御可能であってもよい。
【００３９】
例示的な発光素子には、LED（発光ダイオード）、ハロゲンランプ、視覚表示システム（例えば、LEDアレイ）又は指向可能なスポットライトのうちの少なくとも１つが含まれる。例示的な照明装置には、既知の製品、例えばPhilipsの 'Hue Beyond'照明器具又はPhilips の'Living Colors'レンジが含まれる。
【００４０】
コントローラは、任意の既知の有線又は無線技術を使用して照明装置に接続可能であってもよい。例えば、処理ユニットは、（例えば、通信ユニット120を介して）照明装置に提供するための制御信号170を生成してもよい。照明装置は、制御信号170を受け、照明装置の少なくとも1つの出力特性を変更するように該制御信号を処理するよう構成された追加の制御要素（図示せず）を有してもよい。代替的な例又はさらなる例において、コンフィギュラブルコントローラ100（例えば、処理ユニット110）は、照明装置の出力特性を変更する（例えば、照明要素によって出力される光の強さを変えるよう照明要素に供給される電圧を変える）ように、照明装置300の照明要素に直接接続される。照明装置の出力特性を制御する他の方法は、当業者によく知られている。
【００４１】
照明装置と通信するために使用される適切な無線通信プロトコルには、赤外線リンク、Zigbee、Bluetooth、IEEE802.11規格などの無線ローカルエリアネットワークプロトコル、2G、3G又は4G通信プロトコル等が含まれる。他のフォーマットは、当業者に容易に明らかであろう。
【００４２】
ユーザインタフェース装置130は、処理ユニット110への送信のためのユーザ入力135を受けるよう構成される。ユーザインタフェース装置は、例えば、1つ以上のタッチセンシティブ領域及び/又は1つ以上の機械的入力デバイス（例えば、回転ノブ又はスライドスイッチ）においてユーザ入力135を受けてもよい。
【００４３】
処理ユニット110は、ユーザインタフェース装置で受けたユーザ入力に応じて照明装置の少なくとも1つの出力特性を制御するよう構成される。言い換えると、処理ユニットは、ユーザ入力を受けると、照明装置の少なくとも1つの出力特性を変更することができる。
【００４４】
一例として、処理ユニットによって制御可能な照明装置の1つ以上の出力特性には、光を放つ発光素子の数、 1つ以上の発光素子により出力される光の角度、 1つ以上の発光素子により出力される光の強さ、 1つ以上の発光素子により出力される光の色、少なくとも1つの発光素子により出力される光のプロファイル、少なくとも1つの発光素子により出力される光の角度広がり及び/又は1つ以上の発光素子により出力される光の色温度が含まれる。
【００４５】
各出力特性は、現在値（すなわち、現在の光出力を示す値、例えば、光を放つ現在の発光素子の数）と関連付けられてもよい。
【００４６】
少なくとも1つの斯かる制御可能な出力特性について対応する選択可能な値が処理ユニットによって格納され、選択可能な値の範囲は、その出力特性についての全てのあり得る値のうちのサブセット又は選択であってもよい。選択可能な値の範囲は、現在許容又は許可される値の範囲であってもよく、これにより、任意の時点において、出力特性は、選択可能な値の範囲内の値しかなくてもよい。
【００４７】
言い換えると、出力特性がユーザ入力に応じて処理ユニットによって変更されてもよい量は、出力特性についての所定の最大許容値及び最小許容値が存在するように制限されてもよい。 
【００４８】
一例として、照明装置の第1の発光素子310によって出力される光の角度が、0°と180°との間で変えられるようにしてもよい。 しかしながら、発光素子によって出力される光の角度についての選択可能な値の範囲（例えば、45°~90°）が処理ユニットに格納されてもよく、これにより、ユーザインタフェース装置における任意のユーザ入力に応じて、第1の発光素子によって出力される光の角度は、この範囲内の角度にだけ変更されてもよい（例えば、45°と90°との間の角度にだけ変更されてもよい）。
【００４９】
したがって、発光装置の出力特性（例えば、第1の発光素子によって出力される光の角度方向又は第1の発光素子の強度）は、選択可能な値の範囲を有してもよいことが容易に明らかであろう。この選択可能な値の範囲の範囲内の出力特性の現在値（例えば、第1の発光素子によって出力される光の現在の強さ）は、コントローラのユーザインタフェースが受けるユーザ入力によって決定される。
【００５０】
処理ユニットは、例えばメモリユニット（図示せず）に斯かる選択可能な値の範囲を格納してもよい。
【００５１】
斯くして、コンフィギュラブルコントローラは、少なくとも1つの発光素子及び/又は照明装置を少なくとも部分的に制御すると考えられてもよい。
【００５２】
通信ユニット120は、リモートデバイス200からコンフィギュレーション入力180を受けるよう構成される。通信ユニットは、例えば、無線通信方法又は直接有線接続を介して少なくとも1つの既知のデータフォーマットを用いる斯かるコンフィギュレーション入力を受けるよう構成されてもよい。適切な無線通信プロトコルの例は、先に述べられている。
【００５３】
処理ユニット110は、斯かる受けたコンフィギュレーション入力に基づいて、出力特性についての選択可能な値の範囲を再構成又は変更するよう構成される。
【００５４】
リモートデバイス200の概念的構造も図1に示されている。リモートデバイス200は、処理ユニット210、通信ユニット220及びユーザインタフェース装置230を有する。処理ユニットは、コンフィギュラブルコントローラ100が受けるコンフィギュレーション入力180を生成すると考えられてもよい。
【００５５】
コンフィギュレーション入力180は、通信ユニット220を介してコンフィギュラブルコントローラ100に渡される。リモートデバイスの通信ユニット220は、任意の既知のデータ送信フォーマットで、例えば、Wi-Fiネットワークブリッジ、Bluetooth又は直接有線接続を介してコンフィギュラブルコントローラの通信ユニット120と通信してもよい。2つの通信ユニット間のデータ送信のための他のフォーマットは、例えば先に述べたように、従来技術においてよく知られている。
【００５６】
リモートデバイス200の処理ユニット210によって生成される、コンフィギュレーション入力180は、照明装置300の出力特性についての選択可能な値の所望の範囲に関する情報に関連するデータを有する。例えば、コンフィギュレーション入力は、特定の出力特性についての最大値及び最小値（例えば、第1の発光素子310の強さについての第2の最小値422及び第1の発光素子310の強さについての第2の最大値424）を識別するデータ310を有してもよい。
【００５７】
コンフィギュレーション入力180は、リモートデバイス200のユーザインタフェース装置230から受けた少なくともユーザ選択入力235に基づいて、リモートデバイス200の処理ユニット210によって生成されてもよい。例えば、ユーザは、リモートデバイスのユーザインタフェース装置において照明装置300の特定の出力特性の所望の最大値及び最小値（すなわち、範囲）を入力することができてもよく、これにより、コンフィギュレーション入力は、この所望の範囲に関するデータを有する。
【００５８】
好ましくは、リモートデバイス200のユーザインタフェース装置230は、リモートデバイスのユーザにデータを表示するための視覚出力ディスプレイを有する。さらにより好ましくは、視覚出力ディスプレイは、タッチセンシティブ視覚出力ディスプレイ又はタッチセンシティブディスプレイであり、これにより、ユーザは、タッチセンシティブディスプレイをタッチすることによってユーザ選択入力を生成してもよい。
【００５９】
コンフィギュラブルコントローラ100の処理ユニット110は、照明装置に関する情報、例えば、照明装置が有する構成要素の識別子及び/又は照明装置の光レンダリング能力（例えば、光のどのような色/強さ/角度が、照明装置によって潜在的に出力され得るか）に関する情報を有する出力データ185を生成するよう構成されてもよい。
【００６０】
コンフィギュラブルコントローラ100の処理ユニット110はさらに、コンフィギュラブルコントローラのユーザインタフェース装置に関する情報、例えば、ユーザインタフェース装置のサイズ又はタッチセンシティブ領域の数を識別する情報を有するさらなる出力データ185を生成するよう構成されてもよい。
【００６１】
これに対応して、リモートデバイス200はさらに、照明装置に関する情報を有する出力データ185を（例えば、通信ユニット185において）受け、この情報に基づいてコンフィギュレーション入力を生成するよう構成されてもよい。
【００６２】
リモートデバイスはまた、コンフィギュラブルコントローラのユーザインタフェース装置に関する情報（例えば、離散的な値又は連続的な値のどちらがコンフィギュラブルコントローラのユーザインタフェース装置に表示するために必要とされるかに関する知識又は二次元又は一次元表示のどちらが利用可能であるかに関する知識等）を有するさらなる出力データを受けるよう構成されてもよい。
【００６３】
少なくとも1つのさらなる又は代替の実施形態において、照明装置に関する情報は、例えば、ユーザがリモートデバイスのユーザインタフェース装置に表示されたリストから照明装置の名前又は表現(representation)を選択することによって得られてもよい。照明装置に関する情報は、通信装置220を介して又は近接場通信方法を介して直接受信されてもよい。または、（例えば、リモートデバイスのカメラを介して取得された画像から）画像処理ソフトウェアを使用して照明装置を識別してもよい。リモートデバイスを使用して照明装置を認識する他の方法は、当業者によく知られているであろう。
【００６４】
コンフィギュラブルコントローラ100のコンフィギュラブル性(configurability)は、図2を参照して説明される。図2は、照明装置300の第1の出力特性についての全てのあり得る値400の概念的表現を示す。一例として、図2によって概念的に表される出力特性は、照明装置300の第1の発光素子310によって発せられる光の強さである。
【００６５】
第1又は初めの時点において、コンフィギュラブルコントローラは、第1の発光素子310の強さが第1の最大許容強さ412と第1の最小許容強さ414との間でのみ変えられるように構成されてもよい。言い換えると、第1の発光素子の強さについての許容値又は選択可能な値の第1の範囲410が存在する。
【００６６】
第1のコンフィギュレーション入力450を受けると、第1の発光要素の強さについての選択可能な値の範囲が変更され、これにより、第2の時点において、第1の発光要素310の強さは、第2の最大許容強さ422と第2の最小許容強さ424との間でのみ変更可能である。斯くして、第1の発光素子の強さについての許容値又は選択可能な値の第2の範囲420が存在してもよい。
【００６７】
したがって、所与の出力特性の範囲は、コントローラの通信ユニットが受けるコンフィギュレーション入力に応じて再構成されてもよい。斯かるコンフィギュレーション入力は、例えば、選択可能な出力特性の新しい所望の範囲に関する情報を有するデータであってもよい。
【００６８】
照明装置の出力特性の選択可能な値の範囲を変更すると、出力特性の現在値は、例えば、ユーザ入力を受けるまで同じままであってもよい（例えば、出力特性の現在値は、さらなるユーザ入力を受けるまで出力特性の当該選択可能な範囲外であってもよい）。
【００６９】
他の実施形態において、出力特性の現在値は、出力特性の範囲内の出力特性の値の相対的な位置に依存して変化してもよい。一例として、第1の時点において、第1の発光素子の強さの値は、強さについての全てのあり得る値のうちの第1の値419である場合、（強さの選択可能な範囲が変更された）第2の時点において、強さは、強さについての全てのあり得る値のうちの第2の値429にある。ここで、第2の値429は、第2の最小許容強さ424と第2の最大許容強さ422との間において、第1の値419が第1の最小許容強さ414と第1の最大許容強さ412との間にあった際と同じ相対距離にある。言い換えると、出力特性の選択可能な値の範囲を変更すると、出力特性の現在値も、範囲の変化に対して相対的に変化する。
【００７０】
選択可能な値の範囲は、出力特性の値がその範囲内であってもよい複数の範囲が存在するように、完全に連続的である必要はないことは明らかであろう。例えば、第2のコンフィギュレーション入力455を受け取ると、第1の発光素子の強さの選択可能な値の範囲は、第3の時点において、第1の発光素子310の強さが第1の値の範囲431内及び第2の値の範囲432内で可変であるように変更されてもよい。第1の範囲と第2の範囲との間に不連続的なジャンプが存在してもよい（すなわち、強さについて許容されない又は許可されない値の範囲433が存在してもよい）。
【００７１】
第2の例として、図3は、照明装置の第2の出力特性の概念的表現を示す。光が第1の発光素子310によって単一軸に出力される角度方向の全てのあり得る値の範囲500が示されている。第1の発光素子によって光が出力される角度方向は、最小可能角度502（例えば、法線5000に対して-75°）と最大可能角度504（例えば法線5000に対して+75°）との間で制御される潜在力(potential)を持つことは明らかである。斯くして、光が第1の発光素子によって出力されてもよい、角度方向の全てのあり得る値の範囲500が存在してもよい。
【００７２】
第1の時点において、光が第1の発光素子310によって出力されてもよい、選択可能な又は現在利用可能な角度の第1の範囲510が存在してもよい。言い換えると、処理ユニットが第1の発光素子によって出力される光の角度方向を調整してもよい角度の選択は、例えば、第1の最大値512と第2の最大値514との間に制限される。この第1の時点において、第1の発光素子によって出力される光の角度方向は、（第1の選択可能な値の範囲内の）第1の角度方向519にある。
【００７３】
第1のコンフィギュレーション入力550を受けると、処理ユニットは、光が第1の発光要素によって出力されてもよい選択可能な角度の範囲を第2の選択可能な角度の範囲520に変更してもよい。したがって、（選択可能な角度の範囲を変更した後の）第2の時点において、第1の発光素子によって発せられる光の角度方向は、第2の最小値522と第2の最大値524との間でのみ処理ユニットによって変更されてもよい。この第2の時点において、第1の発光素子によって出力される光の角度方向は、（第2の選択可能な角度の範囲内の）第2の角度方向529にある。
【００７４】
各選択可能な値の範囲（例えば、第1の範囲510及び第2の範囲520）は、特定の出力特性（例えば、第1の発光要素によって出力される光の角度方向）についてあり得る値の全範囲のうちのサブセットであることは明らかである。
【００７５】
選択可能な値の範囲のサイズは、毎回同じである（例えば、第1の範囲510が第2の範囲520より小さい）必要はないことも明らかである。
【００７６】
ユーザ入力を受けるよう構成されるユーザインタフェース装置120の少なくとも1つの実施形態が、図4及び図5を参照して理解されるであろう。
【００７７】
第1のユーザインタフェース装置630を有するコンフィギュラブルコントローラ600の第1の実施形態が、図4に示されている。この第1のユーザインタフェース装置は、第1の視覚出力デバイス632及び（ここでは回転ノブとして具体化されている）ユーザ入力機構634を有する。
【００７８】
ユーザは、回転ノブ634を回転させて、処理ユニット110への供給のためのユーザ入力を提供してもよい。他の実施形態は、異なるユーザ入力機構（例えば、スライドスイッチ又はプッシュボタン）を有してもよい。典型的には、単一のユーザ入力機構が、照明装置の単一の出力特性をそれぞれ制御する（例えば、回転ノブ634は、選択可能な値の範囲410内で第1の発光素子310の強さを制御してもよい）。
【００７９】
各々が照明装置の対応する出力特性に関連する、複数の斯かるユーザ入力機構634が設けられてもよい。
【００８０】
視覚出力デバイス632は、照明装置の特定の出力特性についての選択可能な値の範囲の表現を視覚的に表示するよう構成されてもよい。一例として、視覚出力デバイス632は、処理ユニット110によって制御されてもよい現在利用可能な強さの範囲（例えば、第1の範囲410）を示すよう構成されるLEDディスプレイであってもよい。典型的には、視覚出力デバイス632は、ユーザ入力機構634に関連する出力特性についての選択可能な値の範囲を表示する。
【００８１】
視覚出力デバイスはさらに、照明装置の出力特性の現在値の指示(indication)も表示するよう構成されてもよい。例えば、視覚出力デバイスは、第1の発光素子310によって出力される現在の光の強さを示すライン又はドットを、該第1の発光素子の選択可能な強さの範囲（例えば、第1の範囲410）であるバックグラウンドに表示するよう構成されるLEDディスプレイであってもよい。
【００８２】
他の実施形態において、視覚出力デバイスは、照明装置の出力特性の現在値の指示のみを表示するよう構成される。一例として、視覚出力デバイスは、第1の発光素子310によって出力される光の現在の角度方向を表示するよう構成される複数の7セグメントディスプレイを有してもよい。
【００８３】
コンフィギュラブルコントローラは、各々が照明装置の対応する出力特性に関連する、複数のユーザ入力機構634及び/又は視覚出力デバイスを有してもよいことは容易に明らかであろう。斯くして、各ユーザ入力機構は、少なくとも1つの発光素子及び/又は照明装置の出力特性を少なくとも部分的に制御すると考えられてもよい。
【００８４】
第2のユーザインタフェース装置680、通信ユニット620及び処理ユニット（図示せず）を有するコンフィギュラブルコントローラ650の第2の実施形態が、図5に示されている。通信ユニット620は、外部に配置されたアンテナ620として具体化されているが、他のアンテナ又は通信システム（例えば、パッチアンテナ、USBコネクタ）が使用されてもよいことは容易に明らかであろう。
【００８５】
第2のユーザインタフェース装置680は、第1の視覚出力デバイス632及びユーザ入力機構634の特徴及び機能を組み合わせたタッチセンシティブディスプレイとして具体化されている。
【００８６】
言い換えると、第2のユーザインタフェース装置680は、照明装置300の特定の出力特性についての選択可能な値の範囲の表現及び/又は当該出力特性の現在値の指示を視覚的に表示するよう構成されると共に、照明装置300の当該出力特性を変更するよう処理ユニット110に提供するためのユーザ入力を受けるよう構成される、タッチセンシティブディスプレイである。
【００８７】
各々が照明装置300の対応する出力特性に関連する、複数の斯かるタッチセンシティブディスプレイ680が設けられてもよい。
【００８８】
コンフィギュラブルコントローラ650はさらに、オーバーライドボタン690を有してもよい。オーバーライドボタン690は、例えば、コンフィギュラブルコントローラ650によって部分的に制御される発光素子及び/又は照明装置を完全にスイッチオフするよう構成されてもよい。
【００８９】
タッチセンシティブディスプレイは、ここでは環状の形態で具体化されているが、図6A〜6Dに示されるように、タッチセンシティブディスプレイ680の他の代替的な実施形態も可能であることは明らかであろう。
【００９０】
例えば、タッチセンシティブディスプレイは、第1の矩形形状1301又は第2の矩形形状1302を持つものとして具体化されてもよい。第1の矩形形状1301を持つタッチセンシティブディスプレイは、多次元の変化値又は多次元の範囲（例えば、色又は多軸の角度方向）を持つ出力特性と関連付けられてもよい。第2の矩形形状1302は、一次元の範囲（例えば、単一の発光素子の強さ、単軸の角度方向）を持つ出力特性と関連付けられてもよい。
【００９１】
タッチセンシティブディスプレイは、例えば、多次元の範囲を持つ出力特性と関連付けられてもよい、円形形状1303を持つように具体化されてもよい。
【００９２】
他の実施形態において、タッチセンシティブディスプレイは、複数の個別のタッチセンシティブ形状1304を持つものとして具体化される。各形状は、例えば、タッチセンシティブディスプレイに関連する出力特性の選択可能な値の範囲内の特定の値を表示するよう構成されてもよい。特定の値を押すことが、例えば、この特定の値を選択してもよい。斯くして、ユーザによって選択可能な選択可能な値の範囲内に離散値が存在してもよい。一例として、第1の個別形状13041は、第1の発光素子の第1の色（例えば、ダークブルー）と関連付けられてもよく、第2の個別形状13042は、第1の発光素子の第2の色（例えば、ライトブルー）と関連付けられてもよい。
【００９３】
リモートデバイスの第1の実施形態が、図7を参照して説明される。ここで、リモートデバイス700のユーザインタフェース装置は、タッチセンシティブディスプレイ730として具体化されている。しかしながら、リモートデバイス700の実施形態はこれに限定されないことは明らかであろう。通信ユニット220は、外部に配置されたアンテナ720として具体化されてもよいが、他のアンテナ又は通信システム（例えば、パッチアンテナ、USBコネクタ）が使用されてもよいことは容易に明らかであろう。
【００９４】
リモートデバイス700は、例えば、照明装置の発光素子（例えば、単一の電球、LEDのアレイ等）を識別する、照明装置300に関する情報を（ユーザに）表示するよう構成されてもよい。この情報は、リモートデバイス700のタッチセンシティブディスプレイ730によって表示されてもよい。
【００９５】
他の又はさらなる実施形態において、タッチセンシティブディスプレイ730は、コンフィギュラブルコントローラのユーザインタフェース装置130の視覚的表現を表示するよう構成されてもよい。コンフィギュラブルコントローラのユーザインタフェース装置130に関する情報は、例えば、出力データ185においてリモートデバイス200によって受けられてもよい。
【００９６】
コンフィギュラブルコントローラ100のユーザインタフェース装置130は、照明装置の特定の出力特性についての選択可能な値の範囲の視覚的表現を表示するよう構成されてもよいので、タッチセンシティブディスプレイ730は、照明装置300の特定の出力特性についての選択可能な値の範囲を識別する、この同じユーザインタフェース130の第1の視覚的表現7130を表示するよう構成されてもよい。
【００９７】
一例として、コンフィギュラブルコントローラ100のユーザインタフェース装置130は、第2の矩形形状1302で形成されたタッチセンシティブディスプレイとして具体化されてもよい。斯かる形状のユーザインタフェース装置は、特定の出力特性についての選択可能な値の現在の範囲の表現を表示してもよい（例えば、ユーザインタフェース装置130は、第1の発光素子の強さの許容値又は選択可能な値の第1の範囲410を表示してもよい）。（表示された選択可能な値の範囲を含む）コンフィギュラブルコントローラ100のこのユーザインタフェース装置130の視覚的表現は、リモートコントローラ700のタッチセンシティブディスプレイ730に表示されてもよい。言い換えると、タッチセンシティブディスプレイは、照明装置の特定の出力特性についての現在の選択可能な値の範囲を識別するユーザインタフェースの第1の視覚的表現7130を表示してもよい。
【００９８】
さらなる実施形態において、タッチセンシティブディスプレイ730は、コンフィギュラブルコントローラ100のユーザインタフェース130の複数のさらなる視覚的表現7301,7302,7303,7304を表示し、各さらなる視覚的表現は、照明装置の出力特性についての選択可能な値の潜在的な又は可能な範囲を示す。ユーザは、照明装置の出力特性についての選択可能な値の所望の新しい範囲を示すため選択（すなわち、表示されたさらなる視覚的表現にタッチ）してもよい。
【００９９】
選択可能な値のこれらの潜在的又は可能な範囲は、選択可能な値の予め規定された範囲を構成することが理解されよう。
【０１００】
一例として、タッチセンシティブディスプレイ730は、照明装置の出力特性についての選択可能な値の可能な範囲の少なくとも1つの視覚的表現7301,7302,7303,7304を有するリスト7300を表示するよう構成されてもよい。視覚的表現は、好ましくは、関連するコンフィギュラブルコントローラ130の視覚出力ディスプレイ1302と同じ形状で形成される。可能な範囲の視覚的表現7302を選択すると、リモートデバイス200の処理ユニット210は、選択された可能な範囲に基づいて（コンフィギュラブルコントローラ100に渡される）コンフィギュレーション入力180を生成する。コンフィギュラブルコントローラ100の処理ユニット110は、選択された可能な範囲が照明装置の出力特性についての選択可能な又は現在利用可能な値の新しい範囲となるように、このコンフィギュレーション入力180に基づいて選択可能又は現在利用可能な値の範囲を修正する。
【０１０１】
他の例が、図8を参照して述べられる。図8は、コンフィギュラブルコントローラ650及びリモートデバイス700を示す。リモートデバイス700のタッチセンシティブディスプレイ730に表示されているのは、コンフィギュラブルコントローラの（ここではタッチセンシティブディスプレイ680として具体化されている）ユーザインタフェースの複数の視覚的表現800である。
【０１０２】
各視覚的表現（例えば、第1の表現810及び第2の表現820）は、コンフィギュラブルコントローラによって制御される出力特性（例えば、光の強さ）の異なる選択可能な値の範囲に関連する。 これらの視覚的表現の1つが選択される（例えばタッチされる）ことにより、リモートデバイス700の処理ユニットは、コンフィギュレーション入力信号180を生成する。コンフィギュレーション入力信号180は、リモートデバイスの通信ユニット720及びコンフィギュラブルコントローラ620の通信ユニットを介して（例えば、WiFi、Bluetooth、有線接続、3G等を介して）コンフィギュラブルコントローラに渡される。コンフィギュラブルコントローラ650の処理ユニットは、選択された範囲を反映するように選択可能な値の範囲を再構成する。
【０１０３】
少なくとも1つの好ましい実施形態において、（コンフィギュラブルコントローラ100のユーザインタフェース装置130を介して）ユーザが調整してもよい照明装置300の出力特性は、照明装置300の1つ以上の発光素子によって出力される光の色である。1つ以上の発光素子によって出力される光が任意のあり得る色である可能性を有すると仮定すると、出力特性についての選択可能な値の範囲は、したがって、全てのあり得る色から選択された（例えば緑色の色合いを変化する）色のグループであってもよい。
【０１０４】
ユーザは、コンフィギュラブルコントローラへの送信のために（例えば、コンフィギュレーション入力180を介して）リモートデバイス上でカラーマップ、カラーチャート又はカラーヒストグラムを生成することによって色についての選択可能な値の範囲を構成してもよい。カラーマップ/チャート/ヒストグラムは、照明装置の出力特性（例えば、1つ以上の発光素子によって出力される色）の利用可能な値（例えば、色）の範囲であると考えられてもよい。
【０１０５】
カラーマップは、例えば、複数のフィールドを持つ2次元テーブル（例えば、x及びy）にフォーマットされたデータからなってもよい。テーブルの各フィールドは、（例えば、HSL、HSV又はRGBフォーマットで）指定された色に関するデータを有してもよい。テーブル内のフィールドの位置は、コンフィギュラブルコントローラのユーザインタフェース装置130の視覚ディスプレイ上の色の相対位置を表してもよい。
【０１０６】
少なくとも1つの実施形態によるリモートデバイスにおいて、リモートデバイスのユーザインタフェース装置の視覚表示デバイス（例えば、タッチセンシティブディスプレイ730）においてユーザに表示される複数のプリセットカラーマップがある。これらのプリセットカラーマップは、コンフィギュラブルコントローラ100のユーザインタフェース装置110の視覚出力デバイス（例えば、タッチセンシティブディスプレイ680）と同じ形状で表示され、これにより、ユーザは、プリセットカラーマップが前記視覚出力デバイスにどのように現れるか想像することができる。斯くして、カラーマップを生成する際に、リモートデバイス700の処理ユニット210は、コンフィギュラブルコントローラ100のユーザインタフェース装置130に関する情報を含む、コンフィギュラブルコントローラ100から受ける出力データ185を考慮してもよい。
【０１０７】
少なくとも1つのさらなる又は追加の実施形態によるリモートデバイスにおいて、ユーザは、例えば、（タッチセンシティブディスプレイ730上で）ユーザに表示された色の配列から2つ以上の色を選択することによってカラーマップを生成してもよい。カラーマップは、例えば、複数の色の値が選択された2つ以上の色から補間されるような選択された2つ以上の色の間の緩やかな諧調(gradual gradient)を生成することによってリモートデバイス200の処理装置210により生成されてもよい。
【０１０８】
少なくとも1つのさらなる又は追加の実施形態によるリモートデバイスにおいて、カラーマップは、装置に格納された少なくとも1つの画像又は写真に基づいて生成されてもよい。リモートデバイスの処理ユニットは、例えば、カラーマップを生成するための基礎を形成する画像特性を導出するために画像を分析してもよい。
【０１０９】
例えば、処理ユニットは、所定数の色（例えば、10以上）に基づいて初期カラーヒストグラムを作成してもよい。斯かる色の選択は、例えば、周波数重み付け分析、メディアンカット、ベクトル量子化、k平均クラスタリング及び/又は極端な色認識(extreme colors recognition)によって達成されてもよい。画像から少なくとも1つの色を抽出するための他の可能な画像解析方法は、当業者によく知られているであろう。
【０１１０】
さらなる色が、初期カラーヒストグラムの色の間を補間することによって（例えば、異なる色の間の諧調を作成することによって）カラーヒストグラムに加えられてもよい。
【０１１１】
斯かる分析のための画像又は写真を提供するために、ユーザは、例えば、リモートデバイス700のカメラ799を使用して写真を撮る、外部源（例えば、インターネット）からピクチャをダウンロードする、又はリモートデバイスに既に格納されている画像を用いてもよい。
【０１１２】
カラーマップを生成する際に、リモートデバイス700は、照明装置300の可能な光レンダリング能力（すなわち、照明装置の可能な出力特性）を考慮してもよい。リモートデバイスによって生成されるカラーマップは、例えば、照明装置が出力できない色（例えば、茶色又は黒色）を含まなくてもよい。一例において、照明装置の光レンダリング能力に関する斯かる情報は、コンフィギュラブルコントローラ100から受ける出力データ185に含まれてもよい。
【０１１３】
範囲を満たすように計算された色の数は、コンフィギュラブルコントローラのユーザインタフェース装置130のタッチセンシティブ領域（例えば、タッチセンシティブディスプレイ680）のタッチ解像度(touch resolution)に依存させてもよい。例えば、例示的なコンフィギュラブルコントローラのタッチセンシティブディスプレイが100個のタッチ位置の検出をサポートする場合、リモートデバイスも、対応する100個のライティング設定を計算してもよい。
【０１１４】
少なくとも1つの実施形態において、リモートデバイス700は、照明装置の近傍の環境条件を検出するよう構成される環境センサを有する。斯かるリモートデバイスは、例えば、あるレベルの周辺光が検出された場合にコンフィギュラブルコントローラをリコンフィギュレーションするようにコンフィギュレーション入力を自動的に送信するよう構成されてもよい。さもなくば又は付加的に、リモートデバイスは、時刻、天候、温度、光の尺度(measure)、湿度の測定値、大気圧の測定値及び高度の測定値のうちの少なくとも1つを検出してコンフィギュレーション入力を生成してもよい。
【０１１５】
例えば、リモートデバイスの環境センサは、光の尺度を検出し、低レベルの光が環境センサで測定される場合には低強度にすぎず、より高いレベルの光が環境センサで測定される場合にはより高い強度であるように照明装置の強さについての選択可能な値の範囲をコンフィギュレーションするよう構成されてもよい。
【０１１６】
リモートデバイスは、スマートフォン、スマートウォッチ、パーソナルデジタルアシスタント(PDA)又はタブレットコンピュータを有してもよい。また、リモートデバイスは、着用した場合に着用者が見るよう配置される少なくとも1つのディスプレイモジュールを持つヘッドマウントコンピューティングデバイスであってもよい。斯くして、様々な実施形態は、多くの人々によってよく携帯される又は身に着けられる従来の広く利用可能なポータブルコンピューティングデバイスを利用してもよい。
【０１１７】
1つ以上の発光素子を持つ照明装置を制御する方法9が、図9を参照して述べられる。この方法は、照明装置の出力特性についての全てのあり得る値のうちのサブセットである選択可能な値の範囲を（例えば、プロセッサ上に）格納するステップ900、リモートデバイスからコンフィギュレーション入力を受けるステップ910、コンフィギュレーション入力に基づいて選択可能な値の範囲を修正するステップ920、ユーザインタフェース装置から照明装置を制御するためのユーザ入力を受けるステップ930、並びにユーザ入力及び選択可能な値の範囲に基づいて照明装置の出力特性を修正するステップ940を有する。
【０１１８】
任意に、方法9は、1つ以上のディスプレイにおいて、照明装置の出力特性についての選択可能な値の範囲の視覚的表現を表示するステップ945を有してもよい。
【０１１９】
他の又はさらなる実施形態において、この方法は、出力信号を生成するステップ905及び出力信号をリモートデバイスに渡すステップ907を含み、出力信号は、照明装置の出力特性についての全てのあり得る値及びユーザインタフェース装置の特性のうちの少なくとも1つに関する情報を含む。
【０１２０】
開示された実施形態に対する他の変更は、図面、開示、及び添付の特許請求の範囲の研究から、特許請求の範囲に記載の発明を実施する際に当業者によって理解され、達成され得る。特許請求の範囲において、「有する」なる語は、他の要素又はステップを排除するものではなく、単数形の記載は複数の要素又はステップを除外するものではない。特定の手段が相互に異なる従属請求項に列挙されているという単なる事実は、これらの手段の組み合わせが有利に使用できないことを示すものではない。特許請求の範囲内のいかなる符号も、特許請求の範囲を限定するものとして解釈されるべきではない。
【図１】
2018527701.tif 000003
【図２】
2018527701.tif 000004
【図３】
2018527701.tif 000005
【図４】
2018527701.tif 000006
【図５】
2018527701.tif 000007
【図６Ａ】
2018527701.tif 000008
【図６Ｂ】
2018527701.tif 000009
【図６Ｃ】
2018527701.tif 000010
【図６Ｄ】
2018527701.tif 000011
【図７】
2018527701.tif 000012
【図８】
2018527701.tif 000013
【図９】
2018527701.tif 000014
【国際調査報告】
2018527701.tif 000015
2018527701.tif 000016
2018527701.tif 000017